(57)【要約】【課題】下面に吸込口（１５）を有するケーシング（１０）の天板（１２）に補助吸込口（３５）が形成されると共に、ケーシング（１０）内に、吸い込んだ空気を半径方向に吹き出すファン（２０）を備える空気調和装置の室内機について、補助吸込口（３５）から吸い込まれた空気が、ファン（２０）上部の補助羽根（２４）に吹き付けられることで生じる騒音を可及的に低下させる。【解決手段】ファン（２０）を、ハブ（２２）の下面外周縁に複数枚のブレード（２３）を設けると共に、ハブ（２２）の上面外周縁に複数枚の補助羽根（２４）を設けて構成する一方、補助吸込口（３５）を、ファン（２０）の補助羽根（２４）よりも内側に位置するように形成する。さらに、補助吸込口（３５）から補助羽根（２４）へ向かう空気流を分散させる分散手段（５０）を備えるようにする。【選択図】  図２
2004150732.tif 000002
【特許請求の範囲】
【請求項１】
下面に空気吸込口（１５）を有するケーシング（１０）と、
上記ケーシング（１０）内に設けられ、吸い込んだ空気を半径方向に吹き出すファン（２０）とを備える空気調和装置の室内機であって、
上記ファン（２０）は、ハブ（２２）の下面外周縁に複数枚の主羽根（２３）が設けられると共に、ハブ（２２）の上面外周縁に複数枚の補助羽根（２４）が設けられて構成される一方、
上記ケーシング（１０）の天板（１２）には、補助吸込口（３５）が上記ファン（２０）の補助羽根（２４）よりも内側に位置するように形成され、
上記補助吸込口（３５）から上記補助羽根（２４）へ向かう空気流を分散させる分散手段（５０）を備えている
ことを特徴とする空気調和装置の室内機。
【請求項２】
請求項１において、
上記分散手段（５０）は、ケーシング（１０）の天板（１２）より下方に延びる支持部材（５１）と、該支持部材（５１）の下端に補助吸込口（３５）に対向して設けられ、該補助吸込口（３５）から流入した空気を補助羽根（２４）へ分散させる案内板（５２）とにより構成されている
ことを特徴とする空気調和装置の室内機。
【請求項３】
請求項２において、
上記案内板（５２）は、補助吸込口（３５）の下方位置から扇状で且つファン（２０）の回転側に広く形成されると共に先端側が下方に傾いている
ことを特徴とする空気調和装置の室内機。
【請求項４】
請求項３において、
上記案内板（５２）の先端には、複数の補助羽根（２４）とは異なるピッチの波状部（５５）が形成されている
ことを特徴とする空気調和装置の室内機。
【請求項５】
請求項１において、
上記分散手段（５０）は、補助吸込口（３５）における少なくとも補助羽根（２４）に対向する側の内周面に、複数の補助羽根（２４）とは異なるピッチで形成された波状部（６０）である
ことを特徴とする空気調和装置の室内機。
【請求項６】
請求項１〜５の何れか１つにおいて、
上記補助吸込口（３５）は、着脱可能なシール部材（６２）により閉塞可能に構成されている
ことを特徴とする空気調和装置の室内機。
【発明の詳細な説明】
【０００１】
【発明の属する技術分野】
本発明は、空気調和装置の室内機に関し、特にケーシングの天板に空気を導入するための補助吸込口が形成された室内機に係るものである。
【０００２】
【従来の技術】
天井埋め込み型の空気調和装置の室内機は、一般に、下面に吸込口が形成されたケーシングを備え、該ケーシング内には、ターボファンや、該ターボファンと吸込口との間に設けられるベルマウス等が収納されている。そして、従来より、上記室内機に室内の換気機能を付加する目的で、ケーシングの側板に外気を導入するための開口部を形成し、該開口部とベルマウスとをダクトにより接続することが知られている。そして、上記開口部からダクトを介して吸い込まれた室外空気と、吸入口から吸い込まれた室内空気とをベルマウス内で混合するようにしている。
【０００３】
しかしながら、この従来の室内機では、ダクトをケーシング内の空気通路を横切るように配設する必要があるため、該ダクトが空気通路を流通する空調空気の抵抗となるという問題がある。さらに、ダクト内の流路抵抗により、室外空気の吸入圧力を増大させることが困難となる。そこで、図７に示すように、ファンモータ周縁のケーシングの天板に補助吸込口（１３５）を形成し、ターボファン（１２０）の上部外周縁に複数の補助羽根（１２４）（上部ブレード）を設けることが知られている（例えば、特許文献１参照）。そして、上記補助羽根（１２４）をターボファン（１２０）と共に回転させることにより、ターボファン（１２０）の上側の空間を負圧状態にして、室外空気を補助吸込口（１３５）を介してケーシング内へ吸い込むようにしている。
【０００４】
【特許文献１】
特開平１１−２３７０７３号公報
【０００５】
【発明が解決しようとする課題】
しかしながら、上記従来の特許文献１の室内機では、ケーシングの天板におけるターボファンの軸心上には、ファンモータが設置されているため、補助吸込口をターボファンの設置領域から所定量ずらした位置に形成しなければならない。その結果、補助吸込口からケーシング内へ流入する噴流状の空気が、高速に回転している補助羽根に局部的に吹き付けられるため、その衝撃で大きな騒音が発生するという問題がある。
【０００６】
本発明は斯かる点に鑑みてなされたものであり、その目的とするところは、空気調和装置の室内機について、ケーシングの天板に形成した補助吸込口から吸い込まれた空気が、ファンの上部に設けた補助羽根に吹き付けられることで生じる騒音を可及的に低下させることにある。
【０００７】
【課題を解決するための手段】
上記の目的を達成するために、この発明では、補助吸込口から補助羽根へ向かう空気流を分散させる分散手段を備えるようにした。
【０００８】
具体的に、請求項１に係る発明は、下面に空気吸込口（１５）を有するケーシング（１０）と、上記ケーシング（１０）内に設けられ、吸い込んだ空気を半径方向に吹き出すファン（２０）とを備える空気調和装置の室内機が対象である。そして、上記ファン（２０）は、ハブ（２２）の下面外周縁に複数枚の主羽根（２３）が設けられると共に、ハブ（２２）の上面外周縁に複数枚の補助羽根（２４）が設けられて構成される一方、上記ケーシング（１０）の天板（１２）には、補助吸込口（３５）が上記ファン（２０）の補助羽根（２４）よりも内側に位置するように形成され、上記補助吸込口（３５）から上記補助羽根（２４）へ向かう空気流を分散させる分散手段（５０）を備えている。
【０００９】
上記の発明によると、ファン（２０）が駆動して主羽根（２３）が回転することにより、室内の空気は、ケーシング（１０）下面の空気吸込口（１５）から該ケーシング（１０）内部へ吸い込まれて半径方向へ吹き出される。一方、ファン（２０）が駆動して補助羽根（２４）が回転すると、該補助羽根（２４）の内側におけるハブ（２２）の上側空間が負圧状態になる。その結果、室外の空気は、補助吸込口（３５）からケーシング（１０）内へ吸い込まれる。
【００１０】
このとき、補助吸込口（３５）からケーシング（１０）内部へ流入する室外空気は、その流れが分散手段（５０）によって分散される。その後、室外空気は、分散した状態で低圧の補助羽根（２４）側へ引き寄せられる。その結果、補助羽根（２４）では、まとまった空気流が局部的に吹き付けられることが防止されるため、該補助羽根（２４）で生じる騒音は低下する。
【００１１】
その後、補助羽根（２４）の回転により吹き出された室外空気は、ファン（２０）の外側で、主羽根（２３）の回転により吹き出された室内空気と混合されると共に、冷却又は加熱されて空調空気となり、室内へ吹き出される。
【００１２】
請求項２に係る発明は、上記請求項１に係る発明において、上記分散手段（５０）は、ケーシング（１０）の天板（１２）より下方に延びる支持部材（５１）と、該支持部材（５１）の下端に補助吸込口（３５）に対向して設けられ、該補助吸込口（３５）から流入した空気を補助羽根（２４）へ分散させる案内板（５２）とにより構成されている。
【００１３】
この発明によると、補助吸込口（３５）からケーシング（１０）内部へ流入する室外空気は、まず、補助吸込口（３５）に対向している案内板（５２）に吹き付けられて分散する。その後、案内板（５２）で拡散された室外空気は、補助吸込口（３５）の下方位置から、該案内板（５２）に沿って低圧側の補助羽根（２４）へ案内される。その結果、室外空気は、分散した状態で補助羽根（２４）に送られる。
【００１４】
請求項３に係る発明は、上記請求項２に係る発明において、上記案内板（５２）は、補助吸込口（３５）の下方位置から扇状で且つファン（２０）の回転側に広く形成されると共に先端側が下方に傾いている。
【００１５】
この発明によると、扇状の案内板（５２）がファン（２０）の回転側に広く形成されると共にその先端が下方に傾いており、案内板（５２）と天板（１２）との間隔が徐々に大きくなるため、該案内板（５２）と天板（１２）との間に形成される空気流路の圧力損失は、補助吸込口（３５）の下方位置からファン（２０）の回転側へ向かうに連れて小さくなる。すなわち、補助吸込口（３５）の下方位置で案内板（５２）に衝突した空気は、圧力損失が小さいファン（２０）の回転側へ拡がって流れると共に、低圧側である補助羽根（２４）へ引き寄せられる。その結果、補助吸込口（３５）から流入した空気は、案内板（５２）に沿って扇状に拡散し、補助羽根（２４）へ向かって流れる。
【００１６】
請求項４に係る発明は、上記請求項３に係る発明において、上記案内板（５２）の先端には、複数の補助羽根（２４）とは異なるピッチの波状部（５５）が形成されている。
【００１７】
この発明によると、案内板（５２）の先端には波状部（５５）が形成されているので、補助吸込口（３５）から案内板（５２）の先端部までの案内距離は、該先端部の周方向に不連続に変化している。上記案内距離が短いほど、空気流が案内板（５２）から受ける摩擦抵抗が少なくなるため、波状部（５５）を流れる空気は案内距離の短い部分である波状部（５５）の谷に集まりやすくなる。すなわち、案内板（５２）の先端から流出する空気流は、波状部（５５）の谷で多くなると共に波状部（５５）の山で少なくなる。
【００１８】
その結果、補助吸込口（３５）の下方位置から扇状に拡がって案内板（５２）の先端部へ流れてきた空気は、該先端部の波状部（５５）において、複数の補助羽根（２４）とは異なるピッチでさらに細分化され、補助羽根（２４）へ向かって流れる。
【００１９】
請求項５に係る発明は、上記請求項１に係る発明において、上記分散手段（５０）は、補助吸込口（３５）における少なくとも補助羽根（２４）に対向する側の内周面に、複数の補助羽根（２４）とは異なるピッチで形成された波状部（６０）である。
【００２０】
上記の発明によると、補助吸込口（３５）を通過した空気は、補助羽根（２４）の回転により該補助羽根（２４）側に引き寄せられ、ケーシング（１０）の天板（１２）の下面に沿って流れる。このとき、補助吸込口（３５）における少なくとも補助羽根（２４）に対向する側の内周面に、波状部（６０）が形成されているので、補助吸込口（３５）から補助羽根（２４）までの到達距離は、該補助吸込口（３５）の周方向に不連続に変化している。上記到達距離が短いほど、空気流が天板（１２）の下面から受ける摩擦抵抗が少なくなるため、波状部（６０）を流れる空気は、到達距離が短い部分である波状部（６０）の谷に集まりやすくなる。その結果、補助吸込口（３５）から流入する空気流は、波状部（６０）の谷で多くなると共に波状部（６０）の山で少なくなるため、複数の補助羽根（２４）とは異なるピッチで分散して、補助羽根（２４）へ向かって流れる。
【００２１】
請求項６に係る発明は、上記請求項１〜５の何れか１つに係る発明において、上記補助吸込口（３５）は、着脱可能なシール部材（６２）により閉塞可能に構成されている。
【００２２】
この発明によると、補助吸込口（３５）から室外空気を導入させる場合には、室内機の据え付け時に、該補助吸込口（３５）からシール部材（６２）を離脱させる。一方、室外空気を導入しない場合には、該補助吸込口（３５）をシール部材（６２）により閉塞した状態で維持される。すなわち、補助吸込口（３５）から室外空気を導入するか否かの選択は、シール部材（６２）の補助吸込口（３５）への着脱により行われる。
【００２３】
【発明の実施の形態】
以下、本発明の実施形態を図面に基づいて詳細に説明する。
【００２４】
（実施形態１）
図２は、本発明に係る空気調和装置の室内機の実施形態１を示している。室内機（１）は、天井板（天井面）（７０）に開口する設置用開口（７１）に埋め込んで据え付けられる天井埋め込み型の室内機に構成されている。室内機（１）は、下面が開口されたケーシング（１０）内に、ファン（２０）と熱交換器（３０）とを収納している。
【００２５】
上記ケーシング（１０）は、下方に開口した箱形の本体ケーシング（１０ａ）と、該本体ケーシング（１０ａ）の底面開口部を覆う化粧パネル（１４）とによって構成されている。上記本体ケーシング（１０ａ）は、天板（１２）と、該天板（１２）の外縁部から下方へ延びる側板（１３）とから構成されている。上記天板（１２）には、室外の空気を該ケーシング（１０）の内部へ導入するための補助吸込口（３５）が形成されている。
【００２６】
上記化粧パネル（１４）は、略正方形状の板部材により構成されており、側板（１３）の下端部に取付けられ、その周縁部が天井板（７０）の下面に当接するように、該天井板（７０）に沿って取り付けられている。化粧パネル（１４）の略中央部には、正方形状の空気吸込口（１５）が形成されている。該吸込口（１５）には、その全面に亘って、室内空気に含まれる塵埃等の浮遊物を除去するためのエアフィルタ（１７）が設けられ、該エアフィルタ（１７）は、格子状のフィルタカバー（１９）によって固定支持されている。
【００２７】
上記化粧パネル（１４）には、４つの吹出口（１６）が形成されている。吹出口（１６）は、吸込口（１５）の外側で、該吸込口（１５）の４つの辺に沿って延びるように、細長い長方形状に形成されている。
【００２８】
上記吹出口（１６）には、該吹出口（１６）に沿って延びる略長方形板状の揺動羽根（３８）が設けられている。揺動羽根（３８）は、その幅方向に亘って僅かに湾曲しており、その長さ方向の両端には、外側へ突出する連結ピン（４１，４１）が形成されている。揺動羽根（３８）は、連結ピン（４１，４１）において化粧パネル（１４）に揺動可能に支持されている。そして、揺動羽根（３８）を連結ピン（４１）周りに上下に揺動させることにより、吹出口（１６）における空気の吹出方向を上下に調節するようになっている。
【００２９】
上記ファン（２０）は、ケーシング（１０）の内部の略中央位置に設けられ、吸込口（１５）及び補助吸込口（３５）から吸い込んだ空気を半径方向に吹き出すように構成されている。ファン（２０）は、シュラウド（２１）とハブ（２２）との間に主羽根であるブレード（２３）が保持されたいわゆるターボファンであり、ハブ（２２）の上部に補助羽根（２４）を備えている。ファン（２０）は、ハブ（２２）の下面外周縁に複数枚のブレード（２３）が所定のピッチで放射状に設けられると共に、ハブ（２２）の上面外周縁に複数枚の補助羽根（２４）が所定のピッチで放射状に設けられて構成さていれる。
【００３０】
上記ファン（２０）は、ファンモータ（２５）を介して天板（１２）に取り付けられている。すなわち、天板（１２）の中央部には、ファンモータ（２５）がボルト等により締結固定されている。ファンモータ（２５）の駆動軸（２６）は、下方に延びており、その先端にハブ（２２）が連結されている。また、ファン（２０）の下方には、吸込口（１５）からケーシング（１０）内に流入した空気をファン（２０）の下部へ案内するベルマウス（２７）が設けられている。そして、ファン（２０）は、ファンモータ（２５）により回転駆動し、ブレード（２３）が回転することによって、上記吸込口（１５）からベルマウス（２７）を介して吸い込んだ空気を該ファン（２０）の半径方向へ送り出す。
【００３１】
上記熱交換器（３０）は、互いに平行に設けられた多数のプレート状のフィン（３１）と、該フィン（３１）を貫通して設けられる伝熱管（３２）とから構成されるいわゆるクロスフィン熱交換器である。この熱交換器（３０）は、平面視が矩形の筒状に構成され、上記ファン（２０）の周りを囲うように配設されている。
【００３２】
熱交換器（３０）は、冷媒配管（図示省略）を介して室外機（図示省略）に接続されている。そして、該熱交換器（３０）は、冷房運転時には蒸発器として、また暖房運転時には凝縮器として作動し、上記ファン（２０）から送り出される空気を冷却又は加熱することで空調空気を生成するように構成されている。また、熱交換器（３０）の下方にはドレン水を受けるドレンパン（３３）が設けられている。
【００３３】
上記熱交換器（３０）の外側には、該熱交換器（３０）で生成された空調空気が流通する空気通路（１８）が形成されている。空気通路（１８）は、熱交換器（３０）の外周面と、側板（１３）の内壁面との間で区画して形成されている。空気通路（１８）の下端は、上記吹出口（１６）に連通している。
【００３４】
上記補助吸込口（３５）は、ファンモータ（２５）よりも外側において、補助羽根（２４）よりも内側に位置するように天板（１２）に形成されている。補助吸込口（３５）は、図１に示すように、円形の開口に形成されている。また、図２及び図３に示すように、補助吸込口（３５）には、該補助吸込口（３５）と同径のダクト（３６）がケーシング（１０）の外側から接続されており、室外の空気をダクト（３６）及び補助吸込口（３５）を介してケーシング（１０）内に導入するようになっている。
【００３５】
そして、室内機（１）は、上記補助吸込口（３５）から上記補助羽根（２４）へ向かう空気流を分散させる分散手段（５０）を備えている。該分散手段（５０）は、図１及び図３に拡大して示すように、天板（１２）より下方に延びる板状の支持部材（５１）と、該支持部材（５１）の下端に補助吸込口（３５）に対向して設けられた案内板（５２）とにより構成されている。
【００３６】
上記支持部材（５１）は、図１に示すように、湾曲部（５１ａ）と延長部（５１ｂ）とにより構成されている。湾曲部（５１ａ）は、補助吸込口（３５）のファン（２０）の回転方向上手側で、該補助吸込口（３５）を覆うように湾曲している。一方、延長部（５１ｂ）は、補助吸込口（３５）よりもファン（２０）の径方向内側において該湾曲部（５１ａ）に連続して形成されると共に、ファン（２０）の回転方向に延びている。
【００３７】
上記案内板（５２）は、補助吸込口（３５）の下方位置から扇状で且つファン（２０）の回転側に広く形成されている。そして、該案内板（５２）の周縁部の一部が上記湾曲部（５１ａ）及び延長部（５１ｂ）の下端に連続して形成されている。一方、案内板（５２）の先端側である他の周縁部は、補助羽根（２４）の内側近傍でファン（２０）の周方向に延びるように形成されている。また、図３に示すように、案内板（５２）の先端側（つまり、ファン（２０）の回転側であって、図１で矢印Ａで示す方向）は、下方に傾いている。このように、案内板（５２）は、補助吸込口（３５）よりも大きな面積を有し、補助吸込口（３５）から流入した空気を分散して補助羽根（２４）へ案内するように構成されている。
【００３８】
−室内機の作動−
次に、実施形態１の空気調和装置の室内機（１）の作動について、図１〜図３を参照して説明する。まず、ファンモータ（２５）によりファン（２０）が回転駆動すると、該ファン（２０）と共にブレード（２３）が回転する。そして、ファン（２０）の下部空間は負圧状態になり、室内の空気は、吸込口（１５）からケーシング（１０）内に吸い込まれる。ケーシング内に流入した室内空気は、ベルマウス（２７）を介してファン（２０）の下部へ案内され、外側のブレード（２３）を介してファン（２０）の半径方向へ吹き出される。
【００３９】
一方、補助羽根（２４）が上記ファン（２０）と共に回転することにより、ハブ（２２）の上側の空間が負圧状態となる。そして、室外空気は、ダクト（３６）を流通し、補助吸込口（３５）を介してケーシング（１０）内に吸い込まれる。このとき、補助吸込口（３５）からケーシング（１０）内に流入する室外空気は、案内板（５２）に吹き付けられて分散する。また、案内板（５２）において補助吸込口（３５）の下方位置から支持部材（５１）側へ拡散した空気流は、湾曲部（５１ａ）及び延長部（５１ｂ）にそれぞれ当たって跳ね返される。
【００４０】
ここで、案内板（５２）の先端側は、図１でＡ方向へ下方に傾斜しており、該案内板（５２）と天板（１２）との間隔が徐々に大きくなっている。つまり、案内板（５２）と天板（１２）との間に形成される空気流路の圧力損失は、補助吸込口（３５）の下方位置から上記Ａ方向へ向かうに連れて小さくなっている。
【００４１】
したがって、補助吸込口（３５）の下方位置で案内板（５２）及び支持部材（５１）に衝突した空気は、圧力損失が小さいＡ方向へ拡がって流れると共に、低圧側である補助羽根（２４）へ引き寄せられる。その結果、補助吸込口（３５）から流入して案内板（５２）で分散した空気は、該案内板（５２）に沿って扇状に拡散し、複数枚の補助羽根（２４）に向かって流れる。
【００４２】
その後、補助羽根（２４）の回転によりファン（２０）の半径方向に吹き出された室外空気は、該ファン（２０）の外側において、ブレード（２３）の回転により吹き出された室内空気と混合される。この混合空気は、熱交換器（３０）で冷却又は加熱されて空調空気となり、空気通路（１８）及び吹出口（１６）を介して室内へ吹き出される。このようにして、空調空気を吹出口（１６）から吹き出すことで室内の空気調和を行うと共に、室外の空気を取り入れて室内の換気を行うようにしている。
【００４３】
−実施形態１の効果−
以上説明したように、この実施形態１によると、補助吸込口（３５）から流入する空気を、分散手段（５０）である案内板（５２）に吹き付けることで分散させることができる。さらに、案内板（５２）を補助吸込口（３５）の下方位置からファン（２０）の回転側に拡がる扇状に形成すると共に、その先端を下方に傾斜させるようにしたので、補助吸込口（３５）の下方位置で分散した空気流を、補助吸込口（３５）の下方位置から複数の補助羽根（２４，２４，…）へ向かって扇状に拡散させることができる。その結果、補助吸込口（３５）から流入した空気が、案内板（５２）により拡散された状態で複数の補助羽根（２４，２４，…）に亘って吹き付けられるため、まとまった噴流状の空気流が補助羽根（２４）に局部的に吹き付けられることを防止して、補助羽根（２４）で生じる騒音を低下させることができる。
【００４４】
（実施形態２）
図４は、本発明の実施形態２を示している。尚、以下の各実施形態において、図１〜図３と同じ部分については、同じ符号を付してその詳細な説明は省略する。この実施形態２では、上記実施形態１において、案内板（５２）の先端には、波状部（５５）が形成されている。
【００４５】
上記波状部（５５）は、案内板（５２）の先端側において支持部材（５１）の一端側から他端側に亘って形成されており、上記複数の補助羽根（２４，２４，…）とは異なるピッチを有している。この実施形態２では、波状部（５５）のピッチは、補助羽根（２４）のピッチよりも小さくなっている。
【００４６】
すなわち、案内板（５２）の先端に波状部（５５）が形成されているので、補助吸込口（３５）から案内板（５２）の先端部までの案内距離は、該先端部の周方向に不連続に変化している。上記案内距離が短いほど、空気流が案内板（５２）から受ける摩擦抵抗が少なくなるため、波状部（５５）を流れる空気は案内距離の短い部分である波状部（５５）の谷に集まりやすくなる。すなわち、案内板（５２）の先端から流出する空気流は、波状部（５５）の谷で多くなると共に波状部（５５）の山で少なくなる。
【００４７】
その結果、補助吸込口（３５）の下方位置から扇状に拡がって案内板（５２）の先端部へ流れてきた空気は、該先端部の波状部（５５）において、複数の補助羽根（２４，２４，…）とは異なるピッチでさらに細分化され、補助羽根（２４）へ向かって流れる。
【００４８】
−実施形態２の効果−
したがって、この実施形態２によると、案内板（５２）の先端から流出する空気流が、波状部（５５）の谷で多くなると共に波状部（５５）の山で少なくなるため、案内板（５２）の先端部へ拡散して流れてきた空気を、波状部（５５）でさらに細分化することができる。さらに、波状部（５５）の波のピッチを複数の補助羽根（２４，２４，…）のピッチと異なるようにしたので、細分化された各空気流が同時に各補助羽根（２４，２４，…）に吹き付けられることを防止して、騒音を好適に低下させることができる。
【００４９】
尚、上記実施形態１及び２では、案内板（５２）を板材により構成したが、本発明の請求項２及び３に係る発明の他の実施形態としては、案内板（５２）を例えばパンチングメタル等の網状体により構成してもよい。こうすることで、案内板（５２）に吹き付けられた空気を、ファン（２０）の半径方向及び下方の双方へ分散させることができる。
【００５０】
（実施形態３）
図５は、本発明の実施形態３を示している。この実施形態３では、上記実施形態１において案内板（５２）及び支持部材（５１）を設ける代わりに、分散手段（５０）である波状部（６０）を補助吸込口（３５）に形成するようにしている。
【００５１】
補助吸込口（３５）は、ファン（２０）の回転方向に延びる長孔状に形成されると共に、ダクト（３６）の開口よりも小さく構成されている。そして、上記波状部（６０）は、補助吸込口（３５）における少なくとも補助羽根（２４）に対向する側の内周面に形成されており、上記複数の補助羽根（２４，２４，…）とは異なるピッチを有している。波状部（６０）のピッチは、補助羽根（２４）のピッチよりも小さい。
【００５２】
すなわち、補助吸込口（３５）を通過した空気は、補助羽根（２４）の回転により該補助羽根（２４）側に引き寄せられ、ケーシング（１０）の天板（１２）の下面に沿って流れる。このとき、補助吸込口（３５）における少なくとも補助羽根（２４）に対向する側の内周面に波状部（６０）が形成されているため、補助吸込口（３５）から補助羽根（２４）までの到達距離は、該補助吸込口（３５）の周方向に不連続に変化している。上記到達距離が短いほど、空気流が天板（１２）の下面から受ける摩擦抵抗が少なくなるため、波状部（６０）を流れる空気は、到達距離が短い部分である波状部（６０）の谷に集まりやすくなる。
【００５３】
その結果、補助吸込口（３５）から流入する空気流は、波状部（６０）の谷で多くなると共に波状部（６０）の山で少なくなるため、複数の補助羽根（２４，２４，…）とは異なるピッチで分散する。そして、波状部（６０）で分散した各空気流は、低圧側である補助羽根（２４）へ向かってそれぞれ流れる。
【００５４】
−実施形態３の効果−
したがって、この実施形態３によると、補助吸込口（３５）の波状部（６０）を通過する空気流が、波状部（６０）の谷で多くなると共に波状部（６０）の山で少なくなるため、補助吸込口（３５）から流入する空気を波状部（６０）で分散させて補助羽根（２４）へ流すことができる。その結果、補助吸込口（３５）から流入した空気が、波状部（６０）により分散された状態で補助羽根（２４）に吹き付けられるため、まとまった空気流が補助羽根（２４）に局部的に吹き付けられることを防止して、補助羽根（２４）で生じる騒音をさらに低下させることができる。
【００５５】
また、波状部（６０）の波のピッチを複数の補助羽根（２４，２４，…）のピッチと異なるようにしたので、分散した各空気流を別々に各補助羽根（２４，２４，…）に吹き付けるようにして、騒音の低減を図ることができる。
【００５６】
尚、上記実施形態２及び３では、各波状部（５５，６０）のピッチを、補助羽根（２４）のピッチと異なるように形成したが、該波状部（５５，６０）を、所定のピッチを有しないランダムな波形状に構成してもよい。
【００５７】
（実施形態４）
図６は、本発明の実施形態４を示している。この実施形態４では、上記実施形態１において、補助吸込口（３５）は、着脱可能なシール部材（６２）により閉塞可能に構成されている。
【００５８】
上記シール部材（６２）は、例えばゴム等により形成され、補助吸込口（３５）と同じ径を有する円柱状のボス部（６３）と、該ボス部（６３）の基端側に形成されたフランジ部（６４）とにより構成されている。
【００５９】
そして、補助吸込口（３５）から室外空気を導入しない場合には、フランジ部（６４）の下面が天板（１２）の上面に当接するように、ボス部（６３）を補助吸込口（３５）にはめ込んでおく。こうして、シール部材（６２）により補助吸込口（３５）を閉塞状態で維持する。一方、補助吸込口（３５）から室外空気を導入させる場合には、室内機（１）の据え付け時に、該補助吸込口（３５）からシール部材（６２）を離脱させる。その後、ダクト（３６）を補助吸込口（３５）に接続する。
【００６０】
−実施形態４の効果−
したがって、この実施形態４によると、補助吸込口（３５）から室外空気を導入するか否かの選択を、シール部材（６２）の補助吸込口（３５）への着脱により行うことができる。
【００６１】
尚、上記実施形態１，２及び４においては、案内板（５２）を板状の支持部材（５１）により天板（１２）に接続するようにしたが、請求項１に係る発明の他の実施形態としては、支持部材（５１）を、例えば天板（１２）から下方に延びる棒状に形成し、その先端で案内板（５２）を支持するように構成してもよい。つまり、支持部材（５１）は、案内板（５２）を補助吸込口（３５）に対向した状態で支持する形状であればよい。
【００６２】
【発明の効果】
以上説明したように、請求項１に係る発明によると、ファンは、ハブの下面外周縁に複数枚の主羽根を設けると共に、ハブの上面外周縁に複数枚の補助羽根を設けて構成する一方、補助吸込口を、ファンの補助羽根よりも内側に位置するように形成し、補助吸込口から補助羽根へ向かう空気流を分散させる分散手段を備えることにより、補助吸込口からケーシング内部へ流入する空気流を、分散手段により分散させて補助羽根へ送ることが可能となる。その結果、まとまった空気流が補助羽根に局部的に吹き付けられることが防止されるため、補助羽根で生じる騒音を効果的に低下させることができる。
【００６３】
請求項２に係る発明によると、分散手段を、ケーシングの天板より下方に延びる支持部材と、支持部材の下端に補助吸込口に対向して設けられ、補助吸込口から流入した空気を補助羽根へ分散させる案内板とにより構成することで、補助吸込口からケーシング内部へ流入する空気を、案内板に吹き付けることによって分散させると共に、案内板に沿って低圧側の補助羽根へ案内することができる。
【００６４】
請求項３に係る発明によると、案内板が、補助吸込口の下方位置から扇状で且つファンの回転側広く形成すると共に先端側が下方に傾いていることにより、案内板と天板との間に形成される空気流路の圧力損失が、補助吸込口の下方位置からファンの回転側へ向かうに連れて小さくなるため、補助吸込口の下方位置で案内板に衝突した空気を、圧力損失が小さいファンの回転側へ案内板に沿って扇状に拡散させることができる。
【００６５】
請求項４に係る発明によると、案内板の先端に、複数の補助羽根とは異なるピッチの波状部を形成することにより、案内板の先端から流出する空気流が、波状部の谷で多くなると共に波状部の山で少なくなるため、案内板の先端部へ拡散して流れてきた空気を、波状部でさらに細分化することができる。また、波状部の波のピッチを複数の補助羽根のピッチと異なるようにしたので、細分化された各空気流が同時に各補助羽根に吹き付けられることを防止して、騒音をさらに低下させることが可能となる。
【００６６】
請求項５に係る発明によると、分散手段を、補助吸込口における少なくとも補助羽根に対向する側の内周面に、複数の補助羽根とは異なるピッチで形成された波状部とすることにより、補助吸込口の波状部を通過する空気流が、波状部の谷で多くなると共に波状部の山で少なくなるため、補助吸込口から流入する空気を波状部で分散させて補助羽根へ流すことができる。また、波状部の波のピッチを複数の補助羽根のピッチと異なるようにしたので、分散した各空気流を別々に各補助羽根に吹き付けるようにして、騒音の低減を図ることが可能となる。
【００６７】
請求項６に係る発明によると、補助吸込口を、着脱可能なシール部材により閉塞可能に構成することにより、補助吸込口から室外空気を導入するか否かの選択を、シール部材の補助吸込口への着脱により行うことができる。
【図面の簡単な説明】
【図１】実施形態１における支持部材及び案内板を拡大して示す平面図である。
【図２】図１におけるＩＩ−ＩＩ線断面を含む空気調和装置の室内機の縦断面図である。
【図３】図１におけるＩＩＩ−ＩＩＩ線断面図である。
【図４】実施形態２における支持部材及び案内板を示す図１相当図である。
【図５】実施形態３における補助吸込口を拡大して示す平面図である。
【図６】実施形態４におけるシール部材を示す図３相当図である。
【図７】従来の補助吸込口から補助羽根へ向かう空気の流れを示す説明図である。
【符号の説明】
（１）      室内機
（１０）  ケーシング
（１２）  天板
（１５）  吸込口（空気吸込口）
（２０）  ファン
（２２）  ハブ
（２３）  ブレード（主羽根）
（２４）  補助羽根
（３５）  補助吸込口
（５０）  分散手段
（５１）  支持部材（分散手段）
（５２）  案内板（分散手段）
（５５），（６０）  波状部
（６２）  シール部材
【図１】
2004150732.tif 000003
【図２】
2004150732.tif 000004
【図３】
2004150732.tif 000005
【図４】
2004150732.tif 000006
【図５】
2004150732.tif 000007
【図６】
2004150732.tif 000008
【図７】
2004150732.tif 000009